(57)【要約】【課題】グランドピアノに容易に着脱でき、鍵盤蓋を開いた際の鍵盤蓋と譜面台との間の間隙を覆うことにより、当該間隙に楽譜や筆記用具が落下するのを防止すると共に、鍵盤蓋とピアノ本体とを固定することにより、鍵盤蓋が急に閉じることで起こるピアノ本体や指の損傷を防ぐことができるグランドピアノ鍵盤蓋用カバーを提供する。【解決手段】帯状布の裏布地１aと表布地１ｂの内部にピアノの鍵盤蓋とピアノ本体に固定するための複数の折り曲げ可能な固定部材２と固定部材２を帯状布に固定する固定布３で構成したグランドピアノ鍵盤蓋用カバー。【選択図】図１
2020067488.tif 000002
【特許請求の範囲】
【請求項１】
グランドピアノのカバー板材と開かれた鍵盤蓋との隙間を覆うための帯状のカバー本体と、前記カバー本体に取り付けられ折り曲げ自在な複数の固定部材と、を備え、前記複数の固定部材は、前記カバー本体の長手方向に沿って間隔を空けて並列配置され、各固定部材の一端が折り曲げられて前記鍵盤蓋に係止され、各固定部材の他端が折り曲げられて前記カバー板材に係止されることによって、前記隙間を覆うように構成されたことを特徴とするグランドピアノ鍵盤蓋用カバー。
【請求項２】
固定布を更に備え、前記カバー本体は表布地と裏布地とで形成され、前記表布地と前記裏布地との間に前記固定部材が配置され、前記固定部材は前記固定布にて前記表布地又は前記裏布地に取り付けられてなることを特徴とする請求項１のグランドピアノ鍵盤蓋用カバー。
【発明の詳細な説明】
【技術分野】
【０００１】
本発明は、グランドピアノの鍵盤蓋を開いた際に生じる、鍵盤蓋とピアノ本体とのスキマを覆うことにより、楽譜や筆記用具等がこのスキマやピアノ本体内部へ落下するのを防止する鍵盤蓋用カバーに関するものである。
【背景技術】
【０００２】
従来から同一の目的を有する装置として特許文献1に示すようなグランドピアノ鍵盤蓋用カバーがあった。
【先行技術文献】
【特許文献】
【０００３】
【特許文献１】実用新案登録３１７６６３３号
【０００４】
前記特許文献１の考案は、グランドピアノ鍵盤蓋用カバーに、鍵盤蓋の先端角部に取り付けるための鍵盤蓋用係止部２ｃを構成し、前記本体部の両端部に、ピアノ本体に固定するための取付用紐７を構成したものである。
【０００５】
前記考案によれば、係止部と紐により容易に取付けができ、鍵盤蓋とピアノ本体との間隙の上面が全面に亘って覆われるため、当該間隙に楽譜や筆記用具等が落下することが防止され、鍵盤蓋がピアノ本体に結合して固定されるため、鍵盤蓋が急に閉じることによるグランドピアノの損傷や指等の負傷を防ぐことができる効果を有している。
【発明の概要】
【発明が解決しようとする課題】
【０００６】
しかしながら、前記特許文献１の考案では、その装置の取付けに、ピアノと紐で結ばねばならなく手間がかかり、係止部等の構成は縫い合わせが複雑という問題があった。また、紐で固定するため、外観品位的にも劣る点が有った。
本発明は、上記問題を解消し、容易に鍵盤蓋とピアノ本体との間隙の上面に取り付けることができるグランドピアノ鍵盤蓋用カバーを提供することを目的とする。
【課題を解決するための手段】
【０００７】
請求項１の発明は、グランドピアノのカバー板材と開かれた鍵盤蓋との隙間を覆うための帯状のカバー本体と、前記カバー本体に取り付けられ折り曲げ自在な複数の固定部材と、を備え、前記複数の固定部材は、前記カバー本体の長手方向に沿って間隔を空けて並列配置され、各固定部材の一端が折り曲げられて前記鍵盤蓋に係止され、各固定部材の他端が折り曲げられて前記カバー板材に係止されることによって、前記隙間を覆うように構成されたことを特徴とするグランドピアノ鍵盤蓋用カバーである。
請求項２の発明は、前記鍵盤蓋用カバーは表布地と裏布地とで形成され、前記表布地と前記裏布地との間の内部に前記固定板が配置され、前記固定板は固定布にて前記表布地又は前記裏布地に固定されてなるものである。
【発明の効果】
【０００８】
請求項１記載の発明によれば、グランドピアノの鍵盤蓋を開いた際に生じる、鍵盤蓋とピアノ本体との間隙の上面が全面に亘って覆われるため、当該間隙に楽譜や筆記用具等が落下することが防止される。
さらに、折り曲げ可能な固定板を折り曲げるだけでグランドピアノの鍵盤蓋とグランドピアノの背板を固定することが容易にでき、鍵盤蓋も容易に倒れなくなり、鍵盤蓋が急に閉じることによるグランドピアノの損傷や指等の負傷を防ぐことができる。また、カバー内の部品で固定を完結していることで、取り付けた後のデザインもすっきりと見せることが出来る。
請求項２記載の発明であれば、鍵盤蓋とピアノ本体との間隙の上面に設置した際に、表裏が布地で形成されているため、鍵盤蓋とピアノ本体を傷つけないものである。
【図面の簡単な説明】
【０００９】
【図１】本発明の鍵盤蓋用カバーの正面図
【図２】本発明の鍵盤蓋用カバーの要部拡大斜視図
【図３】本発明の使用状態の説明図
【図４】本発明の使用状態の断面図
【図５】本発明の取付け要領図
【発明を実施するための形態】
【００１０】
本発明の実施形態を図１〜図５において説明する。
本実施形態のグランドピアノ鍵盤蓋用カバー１００は、帯状のカバー本体１と、複数の固定部材２と、を備える。カバー本体１は、鍵盤蓋４の横幅寸法とほぼ同じ長さの長方形の布地からなる裏布地１ａと表布地１ｂとを有し、複数の固定部材２は、カバー本体１の長手方向Ｄ１（鍵盤蓋４の横幅方向）に沿って所定間隔で並列配置され、裏布地１ａと表布地１ｂとの間に取り付けられている。各固定部材２は、カバー本体１の長手方向Ｄ１と直交する幅方向Ｄ２に延び、本実施形態では板状部材とされている。また、各固定部材２は、グランドピアノＰが有する開いた状態の鍵盤蓋４の前端からカバー板材５の後端までの距離Ｌ１（図３）よりも長く、その両端２ａ,２ｂを折り曲げて鍵盤蓋４とカバー板材５に係止するに足る長さを有する。固定部材２のカバー本体１への取付は、固定布３と裏布地１a又は表布地１ｂの間に固定部材２を配置して固定布３を裏布地１ａ又は表布地１ｂに縫い付けることにより行われ、表布地１ｂと裏布地１ａとは縫製により一体にされている。
カバー本体１は、例えばサテンやフェルトの材質の布からなる。なお、カバー本体１の裏布地１ａと表布地１ｂの材質を適宜変えても良い。
【００１１】
固定部材２は、長手方向Ｄ１におけるカバー本体１の両側及びその内側に複数本配設され、長手方向Ｄ１における固定部材２間の距離は、グランドピアノ鍵盤蓋用カバー１００の使用時においてカバー本体１が鍵盤蓋４又はカバー板材５から垂れ下がらない程度の間隔としている。
なお、固定部材２のカバー本体１への取付（固定）は、上述のように固定布３を用いる以外に接着など他の手法でもできる。また、裏布地１ａと表布地１ｂは、一枚の布地を折り曲げて表裏地を形成してもよいものである。
そして、固定部材２は、細状で折り曲げ自在となるものであり、例えば、材質はアルミ、ステンレスであればよい。
【００１２】
上記のように構成した本実施形態の作用を説明する。
グランドピアノ鍵盤蓋用カバー１００を使用する場合は、まず、表布地１ｂを表にしてグランドピアノ鍵盤蓋用カバー１００を開いた鍵盤蓋４の上面全域に広げ、鍵盤蓋４とカバー板材５の間の隙間７を覆う。次に、各固定部材２の鍵盤蓋４側の端部２ａを下方に折り曲げて鍵盤蓋４に係止し、その後カバー板材５側の端部２ｂを下方に折り曲げてカバー板材５に係止することでグランドピアノＰに固定する。
この折曲げて係止する工程を全ての固定部材２について行うことで、グランドピアノ鍵盤蓋用カバー１００をグランドピアノＰ（鍵盤蓋４及びカバー板材５）に固定することが出来る。
【００１３】
これによって、グランドピアノ鍵盤蓋用カバー１００は、鍵盤蓋４の上面全域に固定されると共にカバー板材５に確実に取り付けられるため、グランドピアノＰの演奏中にグランドピアノ鍵盤蓋用カバー１００が外れることがない。
【００１４】
次に本実施形態の効果を説明する。
ピアノの演奏やその指導に際して、譜面台６に楽譜や筆記用具を置くことが多い。この場合、本実施形態では、図４に示すようにカバー板材５と鍵盤蓋４との間の隙間７の上方がグランドピアノ鍵盤蓋用カバー１００によって全面的に覆われているため、演奏による振動や不注意により楽譜や筆記用具が隙間７に落下し、鍵盤蓋４の表面に沿って落下し、ピアノ内部８に転落することを防止できるのである。
【００１５】
また、前記グランドピアノ鍵盤蓋用カバー１００によって鍵盤蓋４がカバー板材５に固定されているため、鍵盤蓋４が急に前方に倒れてきて閉じる危険性もなくなり、これによるカバー板材５の損傷や鍵盤蓋４に指を挟んで負傷するというおそれもなくなる。
【符号の説明】
【００１６】
１    カバー本体        
１ａ  裏布地
１ｂ  表布地
２    固定部材
３    固定布
４    鍵盤蓋
５    カバー板材
６    譜面台
７    隙間
８    ピアノ内部
１００  グランドピアノ鍵盤蓋用カバー
【図１】
2020067488.tif 000003
【図２】
2020067488.tif 000004
【図３】
2020067488.tif 000005
【図４】
2020067488.tif 000006
【図５】
2020067488.tif 000007